(57)【要約】【課題】レンズ装置とコントローラとの間で無線通信による信号伝送が行われる場合に生じる不具合を解消し、電池切れによるコントローラの制御不能状態を回避する。【解決手段】レンズコントローラ５０によりレンズ装置１６（ドライブユニット３２）を遠隔で操作するレンズシステムにおいて、ドライブユニット３２とレンズコントローラ５０との間で有線通信を行うための有線Ｉ／Ｆ５４、７４と、ドライブユニット３２とレンズコントローラ５０との間で無線通信を行うための無線Ｉ／Ｆ５６、７６と、有線通信及び無線通信のいずれか一方の通信手段による信号伝送を制御するＣＰＵ５２、７２と、レンズコントローラ５０に搭載されるバッテリー６０と、ドライブユニット３２の電源回路７８から有線Ｉ／Ｆ５４、７４を介して供給される電力によりバッテリー６０を充電する充電回路５８と、を備えたレンズシステムを提供する。【選択図】図２
2011257542.tif 000002
【特許請求の範囲】
【請求項１】
被写体像を結像する光学系と該光学系の制御を行う制御系とを備えたレンズ装置と、該レンズ装置を遠隔で操作するためのコントローラとを備えたレンズシステムにおいて、
前記レンズ装置と前記コントローラとの間で有線通信を行うための有線通信手段と、
前記レンズ装置と前記コントローラとの間で無線通信を行うための無線通信手段と、
前記有線通信手段及び前記無線通信手段のいずれか一方の通信手段で前記レンズ装置と前記コントローラの間で信号伝送を行う通信制御手段と、
前記コントローラの動作に必要な電力を供給する充電可能な電源手段と、
前記レンズ装置から前記有線通信手段を介して供給される電力により前記電源手段を充電する充電手段と、
を備えたことを特徴とするレンズシステム。
【請求項２】
前記電源手段の残量を検出する電源残量検出手段と、
前記電源残量検出手段により検出された前記電源手段の残量を表示する表示手段と、
を備えたことを特徴とする請求項１に記載のレンズシステム。
【請求項３】
前記レンズ装置と前記コントローラとの間の通信手段として前記有線通信手段又は前記無線通信手段を選択的に指定する指定手段を備え、
前記通信制御手段は、前記指定手段によって指定された通信手段により前記レンズ装置と前記コントローラの間で信号伝送を行うことを特徴とする請求項１又は２に記載のレンズシステム。
【発明の詳細な説明】
【技術分野】
【０００１】
本発明はレンズシステムに係り、特にレンズ装置に外部装置（付属装置）として接続されるコントローラによりレンズ装置における光学系のフォーカス、ズーム等のレンズ操作を行うことができるレンズシステムに関する。
【背景技術】
【０００２】
放送用又は業務用として使用されるテレビカメラとして、携帯可能なＥＮＧ(Electric News Gathering)カメラやハンディカメラが知られており、このようなテレビカメラは、三脚、ペデスタルドリー等の架台に支持された状態で使用される場合と、肩担ぎや手持ち等によってカメラマンが直接支持した状態で使用される場合がある。また、テレビカメラが架台に支持された状態で使用される場合、遠隔操作用のコントローラが使用されることが多い。例えば、架台から延設されているパン／チルト棒の先端にフォーカスデマンドやズームデマンド等のコントローラが取り付けられ、それらのコントローラがカメラ本体に装着されたレンズ装置にケーブルによって電気的に接続される。これによって、カメラマンは、パン／チルト棒によるテレビカメラのパン／チルト操作と同時にコントローラの操作を行うことができ、そのコントローラの操作によってレンズ装置における光学系のフォーカス、ズーム等のレンズ操作を行うことができる。
【０００３】
また、上記のようにテレビカメラを三脚に設置して撮影を行っている状況において、急にカメラマンがテレビカメラを持って撮影しなければならないという場合がある。この場合に、架台に設置したテレビカメラのレンズ装置と、コントローラとをケーブルで接続していると、レンズ装置からケーブルを取り外す作業が必要となり、テレビカメラを架台から迅速に取り外して持ち運ぶことができないという問題がある。
【０００４】
これに対して、例えば特許文献１では、レンズ装置とコントローラにワイヤレスアダプタを各々接続し、レンズ装置とコントローラとの間が無線通信により信号伝送可能に接続（ワイヤレス接続）されたレンズシステムが提案されている。これによれば、テレビカメラを架台から取り外す際にケーブルを取り外す作業の手間や時間が削減され、即座にテレビカメラを持ち運ぶことができる。
【先行技術文献】
【特許文献】
【０００５】
【特許文献１】特開２００７−３１０３０３号公報
【発明の概要】
【発明が解決しようとする課題】
【０００６】
ところで、テレビカメラなどの放送用機器では使用中に制御不能や遅延などの問題が起こってはならない。しかしながら、特許文献１のようにレンズ装置とコントローラとの間が無線通信により接続される場合には、使用する周波数の混雑具合では遅延などの不具合が起こる可能性がある。特に放送局や記者会見などのように多数のテレビカメラが使用される環境下では、使用周波数の混信によってレンズ装置の誤動作を招く恐れもあり、無線通信よりも有線通信による接続が望まれる場合がある。
【０００７】
また、一般にコントローラは電池駆動のため、使用中に電池切れによる制御不能状態が起こらないようにすることが望まれている。
【０００８】
本発明はこのような事情に鑑みてなされたもので、レンズ装置とコントローラとの間で無線通信による信号伝送が行われる場合に生じる不具合を解消し、電池切れによるコントローラの制御不能状態を回避することのできるレンズシステムを提供することを目的とする。
【課題を解決するための手段】
【０００９】
前記目的を達成するために、請求項１に記載のレンズシステムは、被写体像を結像する光学系と該光学系の制御を行う制御系とを備えたレンズ装置と、該レンズ装置を遠隔で操作するためのコントローラとを備えたレンズシステムにおいて、前記レンズ装置と前記コントローラとの間で有線通信を行うための有線通信手段と、前記レンズ装置と前記コントローラとの間で無線通信を行うための無線通信手段と、前記有線通信手段及び前記無線通信手段のいずれか一方の通信手段で前記レンズ装置と前記コントローラの間で信号伝送を行う通信制御手段と、前記コントローラの動作に必要な電力を供給する充電可能な電源手段と、前記レンズ装置から前記有線通信手段を介して供給される電力により前記電源手段を充電する充電手段と、を備えたことを特徴とする。
【００１０】
本発明によれば、レンズ装置とコントローラとの間で有線通信及び無線通信による信号伝送を選択的に行うことができるようにしたので、無線通信による信号伝送が不可能又は不要なときでも有線通信による信号伝送が可能である。また、レンズ装置から有線通信手段を介して供給される電力によりコントローラの電源手段の充電を行えるようにしたので、状況に応じて急に無線通信が必要となった場合でも、電源手段の残量不足によってコントローラが操作不能となるといった事態を未然に防ぐことができる。
【００１１】
請求項２に記載のレンズシステムは、請求項１に記載のレンズシステムにおいて、前記電源手段の残量を検出する電源残量検出手段と、前記電源残量検出手段により検出された前記電源手段の残量を表示する表示手段と、を備えたことを特徴とする。
【００１２】
本発明によれば、ユーザは電源手段の残量を把握することが可能となり、電源手段の残量不足によりコントローラが操作不能状態に陥ることを未然に防止することができる。
【００１３】
請求項３に記載のレンズシステムは、請求項１又は２に記載のレンズシステムにおいて、前記レンズ装置と前記コントローラとの間の通信手段として前記有線通信手段又は前記無線通信手段を選択的に指定する指定手段を備え、前記通信制御手段は、前記指定手段によって指定された通信手段により前記レンズ装置と前記コントローラの間で信号伝送を行うことを特徴とする。
【００１４】
本発明によれば、ユーザの指示に従ってレンズ装置とコントローラとの間の通信手段を選択することが可能となる。これにより、状況に応じて有線通信及び無線通信を選択的に利用することができ、ユーザの利便性が向上する。
【発明の効果】
【００１５】
本発明によれば、レンズ装置とコントローラとの間で有線通信及び無線通信による信号伝送を選択的に行うことができるようにしたので、無線通信による信号伝送が不可能又は不要なときでも有線通信による信号伝送が可能である。また、レンズ装置から有線通信手段を介して供給される電力によりコントローラの電源手段の充電を行えるようにしたので、状況に応じて急に無線通信が必要となった場合でも、電源手段の残量不足によってコントローラが操作不能となるといった事態を未然に防ぐことができる。
【図面の簡単な説明】
【００１６】
【図１】本発明に係るレンズシステムを利用したカメラシステムの全体構成を示した外観図
【図２】本発明に係るレンズシステムの要部構成を示したブロック図
【発明を実施するための形態】
【００１７】
以下、添付図面に従って本発明に係るレンズシステムの好ましい実施の形態について詳説する。
【００１８】
図１は、本発明に係るレンズシステムを利用したカメラシステムの全体構成を示した外観図である。同図に示すカメラシステムは、放送用又は業務用に用いられるテレビカメラ１０を三脚１２に設置して使用している状態を示している。
【００１９】
三脚１２はテレビカメラ１０を支持する架台であり、地面に立てられる３本の脚を備えた脚部２０の上端部に、雲台２２が固定され、その雲台２２の上面にカメラプレート２４が装着されている。そして、カメラプレート２４の上面にテレビカメラ１０が着脱可能に載置されるようになっている。雲台２２は、パン／チルト機構を備えており、その雲台２２から左右斜め方向に延設されている２本のパン／チルト棒２６、２６（一方のみ図示）を水平方向及び鉛直方向に旋回操作することによって、カメラプレート２４及びカメラプレート２４に載置されたテレビカメラ１０がパン／チルト動作するようになっている。
【００２０】
カメラプレート２４には、テレビカメラ１０のカメラ装置１４を容易に着脱するための固定手段（図示せず）が設けられている。固定手段は、例えば、カメラプレート２４に載置されたカメラ装置１４の底面に係合爪（図示せず）を係合させるようにしたもので、図１に示すスライドスイッチ２４Ａをスライドさせると、係合爪による係合が解除され、テレビカメラ１０をカメラプレート２４から取り外すことができるようになっている。これによれば、テレビカメラ１０をカメラプレート２４に瞬時に着脱することができ、必要なときにテレビカメラ１０をカメラプレート２４から取り外してカメラマンがテレビカメラ１０を直接支持した状態（手で持った状態や肩担ぎの状態）で撮影することができる。尚、テレビカメラ１０を支持する架台は同図のような三脚に限らず、どのようなものであってもよい。
【００２１】
テレビカメラ１０は、レンズ交換式のカメラ装置（カメラ本体）１４とレンズ装置１６とから構成されている。同図のカメラ装置１４は、取材等において携帯可能なＥＮＧ(Electric News Gathering)カメラと呼ばれるカメラ装置を示しており、被写体像を電気信号に変換する撮像素子（ＣＣＤ等）、撮像素子から得られた信号に所要の信号処理を施してＮＴＳＣ等の所定方式の映像信号を生成するための信号処理回路、映像信号を外部機器に出力し又は記録メディア（ビデオテープ）に記録する等の処理を行う処理回路が搭載されている。
【００２２】
同図に示すレンズ装置１６は、主にカメラ装置１４のようなＥＮＧカメラにおいて使用されるもので、被写体像を結像するための光学系とその光学系を制御するための制御系とから構成されている。光学系はレンズ鏡胴３０内に配置された各種光学部材によって構成されており、そのレンズ鏡胴３０の後端部が、カメラ装置１４の前面側のマウントに着脱可能に装着されるようになっている。これによって、レンズ鏡胴３０内の光学系によって結像された被写体像が、カメラ装置１４における撮像素子の撮像面に結像されるようになっている。
【００２３】
レンズ鏡胴３０内には、例えば、光軸方向に移動可能に支持されたフォーカスレンズ（群）やズームレンズ（群）が配置されると共に、開閉動作可能に支持された絞りが配置されている。レンズ鏡胴３０の外周部には、フォーカスレンズ、ズームレンズ、絞りの各々に連結された操作リング（フォーカスリング、ズームリング、アイリスリング）が回動可能に設けられており、各々の操作リングの回動に対応してフォーカスレンズ、ズームレンズが光軸方向に移動し、絞りが開閉動作するようになっている。フォーカスレンズが移動すると、光学系の焦点（ピント位置）が変化し、ズームレンズが移動すると光学系の焦点距離が変化し、絞りが開閉動作すると、光学系（像）の明るさが変化する。
【００２４】
レンズ装置１６の制御系は主としてレンズ鏡胴３０の側部に設置されたドライブユニット３２において構成されている。ドライブユニット３２には、上記操作リングの各々に連結されたモータや各モータを制御する制御回路（後述するＣＰＵ７２に相当）等が搭載されている。そして、それらのモータを駆動することによって各モータで各操作リングを回動させ、レンズ鏡胴３０内のフォーカスレンズ、ズームレンズ、絞りを電動で駆動するようになっている。
【００２５】
また、ドライブユニット３２には、カメラ装置１４が信号伝送可能に接続されると共に、雲台２２の各パン／チルト棒２６、２６に設置されたレンズコントローラ（ズーム操作用のズームデマンド、フォーカス操作用のフォーカスデマンド）が信号伝送可能に接続されるようになっている。尚、図１では、一方のパン／チルト棒２６に設置されたズームデマンド４２のみを図示している。
【００２６】
ドライブユニット３２の制御回路は、例えば、フォーカスデマンドから与えられるフォーカス制御信号に基づいてフォーカスリングに連結されたモータを制御することによって、フォーカス制御信号によって指令された位置に（又は動作速度で）フォーカスレンズを移動させ、ズームデマンド４２から与えられるズーム制御信号に基づいてズームリングに連結されたモータを制御することによって、ズーム制御信号によって指令された動作速度で（又は位置に）ズームレンズを移動させる。また、カメラ装置１４から与えられるアイリス制御信号に基づいてアイリスリングに連結されたモータを制御することによって、アイリス制御信号によって指令された位置（開口度）に絞りを設定する。
【００２７】
尚、各操作リング（フォーカスリング、ズームリング、アイリスリング）は、カメラマンが直接把持した手動力で回動操作することも可能であり、また、通常、ズームレンズ（ズームリング）の動作速度を指示操作するための操作部材がドライブユニット３２に設けられている。従って、テレビカメラ１０を三脚１２から取り外して撮影を行う場合に、フォーカスデマンド４０やズームデマンド４２のようなレンズコントローラを使用しなくても所要のレンズ操作を行うことができる。
【００２８】
図２は、本発明に係るレンズシステムの要部構成を示したブロック図である。尚、同図では、図１に示したズームデマンド４２又はフォーカスデマンド（不図示）をレンズコントローラ５０として図示している。
【００２９】
図２に示すように、レンズコントローラ５０は、ＣＰＵ５２、有線Ｉ／Ｆ５４、無線Ｉ／Ｆ５６、充電回路５８、バッテリー（ＢＡＴＴ）６０、電圧検出回路６２、及び表示部６４を備えて構成される。ＣＰＵ５２は、レンズコントローラ５０の各部の動作を統括制御すると共に、有線Ｉ／Ｆ５４及び無線Ｉ／Ｆ５６に各々接続され、ドライブユニット３２との間での信号伝送を制御する。
【００３０】
ドライブユニット３２は、ＣＰＵ７２、有線Ｉ／Ｆ７４、無線Ｉ／Ｆ７６、電源回路７８、レンズ駆動部８０を備えて構成される。ＣＰＵ７２は、ドライブユニット３２の各部の動作を統括制御すると共に、有線Ｉ／Ｆ７４及び無線Ｉ／Ｆ７６に各々接続され、レンズコントローラ５０と間での信号伝送を制御する。
【００３１】
有線Ｉ／Ｆ５４、７４は、レンズコントローラ５０とドライブユニット３２との間を有線通信による接続を可能とするためのインターフェース（有線通信手段）である。有線Ｉ／Ｆ５４、７４をケーブルで接続することによって、レンズコントローラ５０のＣＰＵ５２とドライブユニット３２のＣＰＵ７２とが有線通信により信号伝送を行うことができる。
【００３２】
有線Ｉ／Ｆ５４、７４としては、レンズコントローラ５０とドライブユニット３２との間で有線通信が可能なものであれば特に限定されるものではないが、例えば、シリアル通信が可能なシリアルコミュニケーションインターフェース（ＳＣＩ）が適用される。
【００３３】
無線Ｉ／Ｆ５６、７６は、レンズコントローラ５０とドライブユニット３２との間を無線通信による接続を可能とするためのインターフェース（無線通信手段）である。有線Ｉ／Ｆ５４、７４がケーブルで接続されていない場合でも、レンズコントローラ５０のＣＰＵ５２とドライブユニット３２のＣＰＵ７２との間は無線通信により信号伝送を行うことができる。
【００３４】
無線ＩＦ５６、７６としては、レンズコントローラ５０とドライブユニット３２との間で無線通信可能なものであれば特に限定されるものではないが、例えば、赤外線通信が可能な赤外線インターフェースを適用することができる。もちろん、赤外線通信に限らず、赤外線以外の波長領域（赤外線以外の電波）を利用した無線通信であれば通信方式を問わず適用可能である。また、複数の波長帯域の電波、例えば、赤外線通信と赤外線以外の波長帯域の無線通信の両方での無線通信を可能にし、状況に応じてそれらを選択的に使用できるようにしてもよい。いずれを使用するかは操作者がスイッチによって選択してもよいし、レンズコントローラ５０又はドライブユニット３２が通信可能な方を自動で選択するようにしてもよい。
【００３５】
無線Ｉ／Ｆ５６、７６として赤外線インターフェースが適用される場合、無線Ｉ／Ｆ５６、７６の各々は、赤外線信号を空中に送信（放出）する発信部と、空中の赤外線信号を受信する受信部とを備えており、無線Ｉ／Ｆ５６の発信部から送信された赤外線信号が無線Ｉ／Ｆ７６の受信部により受信され、無線Ｉ／Ｆ７６の発信部から送信された赤外線信号が無線Ｉ／Ｆ５６の受信部で受信することにより双方向に信号伝送が行われるようになっている。また、無線Ｉ／Ｆ５６、７６には赤外線信号により伝送する信号がＣＰＵ５２、７２から与えられるようになっており、無線Ｉ／Ｆ５６、７６はその信号を赤外線により伝送するための赤外線信号に変換して送信部から送信（放出）すると共に、受信部により受信した赤外線信号を赤外線信号に変換する前の元の信号に復元してＣＰＵ５２、７２に与えるようになっている。これにより、ＣＰＵ５２とＣＰＵ７２との間の信号伝送が、無線Ｉ／Ｆ５６、７６を介した赤外線通信により行われるようになっている。
【００３６】
レンズコントローラ５０は、該レンズコントローラ５０の各部の動作に必要な電力を供給する充電可能な電源手段としてバッテリー６０を備えている。このバッテリー６０は、レンズコントローラ５０に着脱自在に装着されており、充電回路５８によって充電が行われる。
【００３７】
充電回路５８は、バッテリー６０を充電するための回路（充電手段）である。この充電回路５８は、有線Ｉ／Ｆ５４、７４がケーブルで接続される場合、有線Ｉ／Ｆ５４、７４を介してドライブユニット３２の電源回路７８から電力が供給されるようになっている。そして、充電回路５８は、ＣＰＵ５２の制御に従って、ドライブユニット３２の電源回路７８から供給される電力を所望の電圧に変換してバッテリー６０に充電を行う。尚、有線Ｉ／Ｆ５４、７４を接続するケーブルには、ＣＰＵ５２、７２間で送受信される制御信号を伝送するための制御ラインと、電源回路７８から充電回路５８に供給される電力を伝送するための電源ラインが含まれる。
【００３８】
レンズコントローラ５０には、バッテリー６０の電圧値を検出する電圧検出回路６２が設けられており、電圧検出回路６２で検出されたバッテリー６０の電圧値はＣＰＵ５２に入力される。ＣＰＵ５２は、電圧検出回路６２で検出された電圧値に基づいてバッテリー６０の残量を算出する。
【００３９】
表示部６４は、ＣＰＵ５２で算出されたバッテリー６０の残量を表示する表示手段であり、例えばＬＥＤやＬＣＤなどにより構成される。バッテリー６０の残量の表示態様としては、ユーザがバッテリー６０の残量を把握可能な方法であれば特に限定されるものではないが、例えば、複数のＬＥＤを用いてバッテリー６０の残量をインジケータ表示する態様などがある。
【００４０】
ドライブユニット３２のＣＰＵ７２は、レンズコントローラ５０のＣＰＵ５２から出力された制御信号を有線Ｉ／Ｆ７４又は無線Ｉ／Ｆ７６を介して取得すると、当該制御信号に従ってレンズ駆動部８０を制御する。図示は省略したが、レンズ駆動部８０には、ズームリング、フォーカスリング、アイリスリングを各々駆動する駆動部（ズーム駆動部、フォーカス駆動部、アイリス駆動部）が含まれている。
【００４１】
ドライブユニット３２は、該ドライブユニット３２の各部に対して電力を供給する電源回路７８を備えており、電源回路７８はカメラ装置１４の電源（カメラ電源）又は商用電源に接続されている。有線Ｉ／Ｆ５４、７４がケーブルで接続される場合には、ＣＰＵ７２が有線であることを自動認識し、電源回路７８から有線Ｉ／Ｆ５４、７４を介してレンズコントローラ５０の充電回路５８に電力を供給し、充電回路５８を介してバッテリー６０の充電が行われるようになっている。
【００４２】
自動認識の方法としては、有線Ｉ／Ｆ５４、７４のコネクタピンの１つのピンを認識用のピンとして有線用のケーブルが接続されたかどうかを認識し、有線用のケーブルが接続されたことを認識すると、自動的にバッテリー６０の充電を行う方法が考えられる。
【００４３】
次に、上記のように構成されるレンズシステムの作用について説明する。
【００４４】
まず、ドライブユニット３２とレンズコントローラ５０の電源が投入されると、レンズコントローラ５０のＣＰＵ５２は、ドライブユニット３２との通信方式として有線通信又は無線通信を選択する。いずれの通信方式を使用するかは操作者がスイッチ（指定手段）によって選択してもよいし、レンズコントローラ５０又はドライブユニット３２が通信可能な方式を自動で選択するようにしてもよい。
【００４５】
通信方式を自動で選択する方法としては、例えば、レンズコントローラ５０のＣＰＵ５２から有線Ｉ／Ｆ５４又は無線Ｉ／Ｆ５６を介して制御信号を出力して、ドライブユニット３２のＣＰＵ７２から出力される応答信号を受信した場合には通信可能な通信方式として選択する。また、有線通信及び無線通信の両方式が通信可能な場合には、予め定められた優先順位に従って通信方式を選択してもよい。この優先順位は、例えばレンズコントローラ５０のＥＥＰＲＯＭ（不図示）に設定され、例えば、無線通信よりも有線通信が優先的に選択されるようにしてもよい。
【００４６】
あるいは、ケーブルがレンズコントローラ５０及びドライブユニット３２に接続されたことを認識した場合は、有線通信を優先してもよい。ケーブルが接続されたかどうかの認識は、上述と同様、優先Ｉ／Ｆ５４、７４のコネクタピンの１つのピンを認識用のピンとして行うことができる。
【００４７】
これにより、レンズコントローラ５０とドライブユニット３２との間の通信方式として、有線通信が選択された場合には、レンズコントローラ５０のＣＰＵ５２から出力される制御信号は、有線Ｉ／Ｆ５４、７４を介してドライブユニット３２のＣＰＵ７２に与えられる。一方、無線通信が選択された場合には、無線Ｉ／Ｆ５６、７６を介してドライブユニット３２のＣＰＵ７２に与えられる。ＣＰＵ７２は、このようにして取得した制御信号に従ってレンズ駆動部８０を制御する。
【００４８】
また、有線Ｉ／Ｆ５４、７４がケーブルで接続されている場合には、レンズコントローラ５０に搭載されるバッテリー６０は、ドライブユニット３２の電源回路７８から供給される電力により充電回路５８を介して充電が行われる。また、バッテリー６０の残量がレンズコントローラ５０の表示部６４に表示される。
【００４９】
このため、状況に応じてケーブルを取り外して無線通信による接続が急遽必要となった場合でも、バッテリー６０の残量不足によってレンズコントローラ５０の操作が出来なくなるといった事態を未然に防ぐことができる。また、無線通信による接続を行っているときにバッテリー６０の残量が少なくなってきた場合には有線Ｉ／Ｆ５４、７４をケーブルで接続して有線通信に切り替えることにより、バッテリー６０の残量不足によりレンズコントローラ５０の操作不能状態が起こることなく継続的な操作が可能となり、バッテリー６０の充電も行うことができる。
【００５０】
このように本実施形態によれば、レンズコントローラ５０とドライブユニット３２との間で有線通信及び無線通信の両方式による信号伝送を選択的に行うことができる。これにより、無線通信による信号伝送が行われる場合には、テレビカメラ１０を三脚から取り外す必要が生じた場合に、レンズコントローラ５０とドライブユニット３２との間のケーブルを取り外す作業が不要であり、手間無く且つ迅速にテレビカメラ１０を三脚１２から取り外すことが可能となる。また、状況に応じて無線通信よりも有線通信が望まれる場合には、レンズコントローラ５０とドライブユニット３２をケーブルで接続することにより、有線通信による信号伝送を行うことができるため、信頼性の高い安定したシステムを構築することが可能である。即ち、レンズ装置とコントローラとの間で無線通信による信号伝送が不可能又は不要なときでも有線通信による信号伝送が可能である。
【００５１】
また、レンズコントローラ５０に搭載されるバッテリー６０は、レンズコントローラ５０とドライブユニット３２との間がケーブルで接続されている場合、ドライブユニット３２の電源回路７８から供給される電力により充電回路５８を介して充電が行われるため、状況に応じて無線通信が必要となった場合でも、バッテリー６０の残量不足によってレンズコントローラ５０が操作不能となるといった事態を未然に防ぐことができる。
【００５２】
以上、本発明のレンズシステムについて詳細に説明したが、本発明は、以上の例には限定されず、本発明の要旨を逸脱しない範囲において、各種の改良や変形を行ってもよいのはもちろんである。
【符号の説明】
【００５３】
１０…テレビカメラ、１４…カメラ装置、１６…レンズ装置、３２…ドライブユニット、４２…ズームデマンド、５０…レンズコントローラ、５２…ＣＰＵ、５４…有線Ｉ／Ｆ、５６…無線Ｉ／Ｆ、５８…充電回路、６０…バッテリー、６２…電圧検出回路、６４…表示部、７２…ＣＰＵ、７４…有線Ｉ／Ｆ、７６…無線Ｉ／Ｆ、７８…電源回路、８０…レンズ駆動部
【図１】
2011257542.tif 000003
【図２】
2011257542.tif 000004